(57)【特許請求の範囲】
【請求項１】
商用電源を入り切りする電源リレーと、食器を洗浄するための洗浄槽と、前記洗浄槽内の洗浄水を噴射し循環させる洗浄ポンプと、前記洗浄槽内の洗浄水を機外に排水する排水ポンプと、前記洗浄槽内を加熱するヒータと、前記洗浄槽の開口部を開閉する蓋と、前記蓋の開閉に応じて入り切りされる安全スイッチと、前記電源リレー、前記洗浄ポンプ、前記排水ポンプおよび前記ヒータ等を駆動する制御回路と、前記安全スイッチの接点の開閉状態を検出して前記制御回路に信号を送る安全スイッチ接点検出回路を備え、前記安全スイッチは前記電源リレーに直列接続されるとともに、前記排水ポンプは、一端を前記安全スイッチと前記電源リレーとの直列接続部に、他端を前記制御回路にそれぞれ接続することで、前記制御回路が前記電源リレーを駆動していないときに前記安全スイッチ接点検出回路が前記安全スイッチの接点を閉状態と判定した場合に、前記制御回路は前記電源リレーの故障を報知し、運転を停止可能に構成するとともに、前記排水ポンプの運転の可能不可能によって前記電源リレーと前記安全スイッチのいずれが故障しているかを判定可能に構成した食器洗浄乾燥機。
【請求項２】
安全スイッチの接点が開くとヒータおよび洗浄ポンプに電力供給を停止する接続とした請求項１記載の食器洗浄乾燥機。
【請求項３】
安全スイッチ接点検出回路が開状態で、電源リレーを駆動しているときは、制御回路はヒータおよび洗浄ポンプを一時停止状態にする請求項１記載の食器洗浄乾燥機。
【発明の詳細な説明】
【０００１】
【発明の属する技術分野】
本発明は、安全スイッチを設けた洗浄モータを駆動し、ヒータにより洗浄槽内を加熱する構成の食器洗浄乾燥機に関するものである。
【０００２】
【従来の技術】
従来、この種の食器洗浄乾燥機は図３に示すように構成していた。以下その構成について説明する。
【０００３】
図３に示すように、洗浄槽１は，前方に開口部２を有し、この開口部２を蓋３により開閉するとともに、内部に洗浄水を噴射する水平ノズル４を回転自在に設けており、洗浄槽１内に食器類５を収納するかご６を配置している。洗浄槽１は台枠７にて支持されている。
【０００４】
洗浄槽１内の洗浄水はヒータ８によって温水化され、洗浄ポンプ９にて排水口１０に備えた残滓フィルタ１１から吸い込まれ、水平ノズル４に圧送されて食器類５に向けて噴出し、循環することにより洗浄される。洗浄行程が終了すると、洗浄槽１の下部に設けた排水ポンプ１２によって機外に洗浄水が排水される。給水弁１３はこれを開閉することにより洗浄槽１への洗浄水の供給を入り切りできるものである。
【０００５】
使用者は、蓋３を手前に引き倒して開け、かご６を引き出し、洗浄すべき食器類５をかご６の上に配置する。全ての食器類５を配置し終わった使用者はかご６を洗浄槽１内に押し入れ、蓋３を閉じ、制御回路であるコントローラ１４に接続された電源スイッチ（図示せず）をオンし、必要な洗浄時間やコースを選択して、スタートスイッチを押して、洗浄行程を開始するものである。
【０００６】
図４に従来の食器洗浄乾燥機の回路接続図を示す。
【０００７】
従来、この種の食器洗浄乾燥機は、商用電源１５と負荷を入り切りする電源リレー１６と安全のために蓋３に連動して開閉する安全スイッチ１７と、ヒータを入り切りするヒータリレー１８が図４のように接続され、制御回路１９による駆動信号で運転および停止の制御を行っていた。これらの接点は、故障を検出するために、それぞれ電源リレー接点検出回路２０、安全スイッチ接点検出回路２１、ヒータリレー接点検出回路２２が設けられており、接点の開放故障や溶着による短絡故障を検出し制御回路を停止するなどで、構成部品の故障による不安全がないようにしていた。すなわち、電源リレー１６が短絡故障した場合は、電源リレー接点検出回路２０で検出し、機器を停止する構成としていた。
【０００８】
制御回路１９には、表示手段２３および入力手段２４が接続され、使用者との情報のやり取りをしている。また、商用電源１５は、電源回路２５を介して制御回路１９に電力を供給している。
【０００９】
送風ファン２６は、食器を洗浄した後乾燥する際に駆動されるファンである。
【００１０】
【発明が解決しようとする課題】
しかし、このような従来の構成では、接点検出回路が電源リレー、ヒータリレー、安全スイッチの少なくとも３つ必要であり、コスト面での課題があった。さらに、回路が複雑になるため、故障が発生しやすいということが課題であった。
【００１１】
本発明は上記従来課題を解決するもので、安全スイッチの接点検出回路を用いて、電源リレーの接点の開閉状態を検出することにより、少ない接点検出回路で、安全性の高い、メンテナンスが容易な食器洗浄乾燥機を実現することを目的としている。
【００１２】
【課題を解決するための手段】
本発明は上記目的を達成するために、食器洗浄乾燥機において、商用電源を入り切りする電源リレーと、食器を洗浄するための洗浄槽と、前記洗浄槽内の洗浄水を噴射し循環させる洗浄ポンプと、前記洗浄槽内の洗浄水を機外に排水する排水ポンプと、前記洗浄槽内を加熱するヒータと、前記洗浄槽の開口部を開閉する蓋と、前記蓋の開閉に応じて入り切りされる安全スイッチと、前記電源リレー、前記洗浄ポンプ、前記排水ポンプおよび前記ヒータ等を駆動する制御回路と、前記安全スイッチの接点の開閉状態を検出して前記制御回路に信号を送る安全スイッチ接点検出回路を備え、前記安全スイッチは前記電源リレーに直列接続されるとともに、前記排水ポンプは、一端を前記安全スイッチと前記電源リレーとの直列接続部に、他端を前記制御回路にそれぞれ接続することで、前記制御回路が前記電源リレーを駆動していないときに前記安全スイッチ接点検出回路が前記安全スイッチの接点を閉状態と判定した場合に、前記制御回路は前記電源リレーの故障を報知し、運転を停止可能に構成するとともに、前記排水ポンプの運転の可能不可能によって前記電源リレーと前記安全スイッチのいずれが故障しているかを判定可能に構成したものである。
【００１３】
これにより、電源リレーの接点状態を直接検出する回路がなくても、電源リレーの開閉状態を検出することでき、仮に、リレーが故障したとしても、意図しない構成部品の誤った運転を回避することができるとともに、故障個所の判定を容易に行うことができる。
【００１４】
【発明の実施の形態】
本発明の請求項１に記載の発明は、食器洗浄乾燥機において、商用電源を入り切りする電源リレーと、食器を洗浄するための洗浄槽と、前記洗浄槽内の洗浄水を噴射し循環させる洗浄ポンプと、前記洗浄槽内の洗浄水を機外に排水する排水ポンプと、前記洗浄槽内を加熱するヒータと、前記洗浄槽の開口部を開閉する蓋と、前記蓋の開閉に応じて入り切りされる安全スイッチと、前記電源リレー、前記洗浄ポンプ、前記排水ポンプおよび前記ヒータ等を駆動する制御回路と、前記安全スイッチの接点の開閉状態を検出して前記制御回路に信号を送る安全スイッチ接点検出回路を備え、前記安全スイッチは前記電源リレーに直列接続されるとともに、前記排水ポンプは、一端を前記安全スイッチと前記電源リレーとの直列接続部に、他端を前記制御回路にそれぞれ接続することで、前記制御回路が前記電源リレーを駆動していないときに前記安全スイッチ接点検出回路が前記安全スイッチの接点を閉状態と判定した場合に、前記制御回路は前記電源リレーの故障を報知し、運転を停止可能に構成するとともに、前記排水ポンプの運転の可能不可能によって前記電源リレーと前記安全スイッチのいずれが故障しているかを判定可能に構成したことにより、電源リレーの接点の故障を前記安全スイッチ接点検出回路で検知でき、安全性を確保できるとともに、電源リレーと安全スイッチのいずれが故障しているかを容易に判定することができる。
【００１５】
請求項２に記載の発明は、上記請求項１に記載の発明において、安全スイッチの接点が開くとヒータおよび洗浄ポンプに電力供給を停止する接続とすることにより、制御回路の故障の場合でも、蓋を開いた場合にヒータおよび洗浄ポンプに電力供給を停止でき、安全性をより確保できる。
【００１６】
請求項３に記載の発明は、上記請求項１に記載の発明において、安全スイッチ接点検出回路が開状態で、電源リレーを駆動しているときは、制御回路はヒータおよび洗浄ポンプを一時停止状態にすることにより、運転途中に蓋が開いた場合または電源リレーの開放故障時には、食器洗浄乾燥機の運転を一時停止し、お湯の飛び出しを防ぐことで、安全性を確保した食器洗浄乾燥機が安価に実現できる。
【００１７】
【実施例】
以下、本発明の実施例について、図面を参照しながら説明する。
【００１８】
（実施例１）
図１および図２に本発明の食器洗浄乾燥機の回路のブロック図を示す。なお、従来例と同じ構成要素は同符号を付して説明を省略する。
【００１９】
図１および図２に示すように、商用電源１５は、電源回路２５を介して制御回路２７に電源を供給するとともに、制御回路２７により駆動される電源リレー１６、ヒータ８、洗浄ポンプ９、排水ポンプ１２、給水弁１３および送風ファン２６等に交流電力を供給している。
【００２０】
また、洗浄槽１を開閉する蓋３の開閉に応じて入り切りする安全スイッチ２８は、電源リレー１６に直列に接続され、その接点状態を検出する安全スイッチ接点検出回路２９を備えている。安全スイッチ接点検出回路２９は図２に示すような構成としている。図２において、安全スイッチ２８が閉状態では、商用電源１５からの電圧は整流回路３０により直流電圧に変換され、制御回路２７にＨｉｇｈ信号が出力される。また、安全スイッチ２８が開状態では、Ｌｏｗ信号が制御回路２７に出力される。
【００２１】
図１において、電源リレー１６は制御回路２７に接続された入力手段２４の電源スイッチを押すことで駆動される。電源リレー１６は、ヒータ８、洗浄ポンプ９、排水ポンプ１２、給水弁１３、および送風ファン２６等への商用電源１５からの電力供給を入り切りする。また、安全スイッチ２８は蓋３の開閉に応じて排水ポンプ１２を除く各負荷を入り切りする。排水ポンプ１２は、蓋３が開いた状態でも洗浄槽内部の水を排水可能なような構成とし、故障時などに対応可能としている。
【００２２】
また、電源リレー１６と安全スイッチ１７は、直列に接続されている。このような構成において、制御回路２７が電源リレー１６を駆動していない場合に、安全スイッチ２８の安全スイッチ接点検出回路２９の出力は、Ｌｏｗのはずである。しかし、この場合、安全スイッチ接点検出回路２９の出力がＨｉｇｈ信号を検出した場合には、電源リレー１６の接点が短絡故障しており制御回路２７の信号と異なると判断できる。このような状態では、電源リレーの短絡故障と判定し、制御回路２７は、機器の運転を停止し、使用者に故障の注意を促すため、表示手段２３にランプの点滅などの異常表示をし、ブザーなどの報知音で警告する。
【００２３】
蓋３が開いている場合は、安全スイッチ２８が開状態のため、電源リレー１６の短絡故障は安全スイッチ接点検知回路２９では検出されないが、安全スイッチ２８が電源リレー１６と直列に接続されているため、負荷に電力が供給されないため安全は確保される。
【００２４】
以上のように蓋３の開閉状態を検出する安全スイッチ２８の安全スイッチ接点検出回路２９を利用して、電源リレー１６の短絡故障を検出するので、電源リレー１６の電源リレー接点検出回路が不要となるため、安価で安全性の高い食器洗浄乾燥機を実現できる。
【００２５】
（実施例２）
図１に示すように、安全スイッチ１６の接点が開くとヒータ８および洗浄ポンプ９と商用電源１５が切り離され、電力供給が停止する。このような構成において、蓋３を開けると制御回路２７の信号にかかわらす、ヒータ８および洗浄ポンプ９が停止するので、洗浄用の温水が飛び出すことやヒータ８の熱による火傷から使用者を保護することができる。したがって、電源リレー１６の電源リレー接点検出回路が不要となり、制御回路２７が故障の場合でも、運転途中に蓋３を開いた場合にはヒータ８への電力供給を停止できるため、安価でより安全性の高い食器洗浄乾燥機を実現できる。
【００２６】
（実施例３）
図１において、電源リレー１６を駆動しており、蓋３が閉まっている状態では安全スイッチ２８が閉じるので、安全スイッチ接点検出回路２９は閉状態を示す。この場合は、機器は正常な運転状態にある。
【００２７】
一方、電源リレー１６を駆動していない場合に、蓋３が閉まっていても開いていても、安全スイッチ２８は開いているので、安全スイッチ接点検出回路２９は開状態を示す。この状態で、蓋３の開閉状態は制御回路２７では検出できないが、電源リレー１６が駆動していないため、機器は運転しない状態となり、問題はない。
【００２８】
電源リレー１６を駆動している場合において、安全スイッチ接点検出回路２９が開状態の場合は、電源リレーの接点が開放故障している場合か、安全スイッチ２８の接点が開放故障か、蓋３が開いて安全スイッチ２８が開放している場合である。
【００２９】
本発明の実施例では、この場合は蓋３が開いているか、または機器の故障かの判定ができないので、少なくとも、ヒータ８および洗浄ポンプ９を一時停止状態にして、安全性を確保する。もし、蓋３が開いている状態であれば、使用者が蓋３を閉じることで運転を再開できる。
【００３０】
また、蓋３を閉じた状態で、運転ができない場合は電源リレー１６か安全スイッチ２８が故障していると考えられる。本発明の実施例では、安全スイッチ２８が開いている状態で排水ポンプ１２が運転可能な回路接続となっているので、この状態で排水ポンプ１２を運転可能である。このため、本実施例では、蓋３を開けた状態で排水ポンプ１２を運転するモードの制御プログラムを内蔵することで、排水ポンプ１２が運転できれば安全スイッチ２８の接点開放故障と判断でき、一方、排水ポンプ１２が運転できなければ電源リレー１６の接点開放故障と判定できるため、機器のメンテナンスが容易となる。
【００３１】
したがって、上記の構成の通り、電源リレー１６の電源リレー接点検出回路が不要となり、運転途中に蓋３が開いた場合または電源リレーが開放故障した場合でも、機器の運転を一時停止し、お湯の飛び出しを防ぐことができるため、安価で、安全性の高い、かつ使用勝手のよい食器洗浄乾燥機を実現できる。
【００３２】
【発明の効果】
以上のように本発明の請求項１、２および３に記載の発明によれば、電源リレーの接点状態を直接検出する回路がなくても、電源リレーの開閉状態を検出することでき、仮に、リレーが故障したとしても、意図しない構成部品の誤った運転が回避できるとともに、故障個所の判定を容易に行うことができるので、安価で、安全性の高い、メンテナンスが容易な食器洗浄乾燥機を実現することができる。
【図面の簡単な説明】
【図１】  本発明の実施例の食器洗浄乾燥機の制御回路のブロック図
【図２】  同食器洗浄乾燥機の接点検出回路の回路図
【図３】  従来の食器洗浄乾燥機の断面側面図
【図４】  同食器洗浄乾燥機の制御回路のブロック図
【符号の説明】
１  洗浄槽
３  蓋
８  ヒータ
９  洗浄ポンプ
１２  排水ポンプ
１５  商用電源
１６  電源リレー
２７  制御回路
２８  安全スイッチ
２９  安全スイッチ接点検出回路
【図１】
0003985533.tif 000002
【図２】
0003985533.tif 000003
【図３】
0003985533.tif 000004
【図４】
0003985533.tif 000005